(57)【要約】【課題】  本発明はテープ幅の異なる磁気テープを装着し得る磁気記録再生装置に関し、幅狭磁気テープと幅広磁気テープの双方を装着し磁気記録再生処理を行なうことを課題とする。【解決手段】  回転ドラム１３Ａとテープガイド２２Ａが設けられた固定ドラム１４Ａとを有した回転ドラム装置１２Ａと、磁気テープ１１Ａ，１１Ｂの走行を案内するガイドローラ１６Ａ，１７Ａ，１６Ｂ，１７Ｂとを具備する磁気記録再生装置において、テープ幅Ｗ１に対応したガイドローラ１６Ａ，１７Ａと、テープ幅Ｗ２に対応したガイドローラ１６Ｂ，１７Ｂとを設け、これを選択的に使用しうる構成とする。また、各ガイドローラ１６Ａ，１７Ａ，１６Ｂ，１７Ｂにより磁気テープ１１Ａ，１１Ｂの下側側縁部１１Ａ−２，１１Ｂ−２が位置規制されるよう構成する。更に、回転ドラム１３Ａに対して固定ドラム１４Ａが上部に位置するよう構成し、固定ドラム１４Ａのテープガイド溝２２Ａにより磁気テープ１１Ａ，１１Ｂの上側側縁部１１Ａ−１，１１Ｂ−１を位置規制する構成とする。【選択図】  図１
2005158156.tif 000002
【特許請求の範囲】
【請求項１】
磁気ヘッドが設けられた回転ドラムと、磁気テープの上下一方の側縁部を規制することにより走行案内を行なうテープガイドが設けられた固定ドラムとを有しており、前記磁気テープに対して前記磁気ヘッドによりヘリカルスキャン方式で記録再生処理を行なう回転ドラム装置と、
前記磁気テープが所定のテープパスを形成するよう、前記磁気テープの他方の側縁部を規制することにより前記磁気テープの走行を案内するガイド部材とを具備する磁気記録再生装置において、
前記ガイド部材として、第１のテープ幅に対応した第１のガイド部材と、第２のテープ幅に対応した第２のガイド部材とを設け、該第１のガイド部材と該第２のガイド部材とを選択的に使用しうる構成とすると共に、前記第１及び第２のガイド部材により前記磁気テープの下側の側縁部を位置規制されるよう構成し、
かつ、前記回転ドラムに対して前記固定ドラムが上部に位置するよう構成し、該固定ドラムに設けられたテープガイドにより前記磁気テープの上側の側縁部を位置規制するよう構成したことを特徴とする磁気記録再生装置。
【請求項２】
磁気ヘッドが設けられた回転ドラムと、前記磁気テープの上下一方の側縁部を規制することにより走行案内を行なうテープガイドが設けられた固定ドラムとを有しており、ベースに搭載されて前記磁気テープに対して前記磁気ヘッドによりヘリカルスキャン方式で記録再生処理を行なう回転ドラム装置と、
前記磁気テープが所定のテープパスを形成するよう、前記磁気テープの他方の側縁部を規制することによりの走行を案内するガイド部材とを具備する磁気記録再生装置において、
前記回転ドラム装置を前記ベースに対して昇降させる昇降機構を設けたことを特徴とする磁気記録再生装置。
【請求項３】
請求項２記載の磁気記録再生装置において、
前記昇降機構は、前記回転ドラム装置を第１のテープ幅に対応した第１の位置と、第２のテープ幅に対応した第２の位置との間で昇降させることを特徴とする磁気記録再生装置。
【請求項４】
請求項２または３記載の磁気記録再生装置において、
前記昇降機構は、前記ベースに対する前記磁気テープの上側の側縁部の高さが、常に同一高さとなるよう前記回転ドラム装置を昇降せさることを特徴とする磁気記録再生装置。
【請求項５】
磁気ヘッドが設けられた回転ドラムと、前記磁気テープの上下一方の側縁部を規制することにより走行案内を行なうテープガイドが設けられた固定ドラムとを有しており、ベースに搭載されて前記磁気テープに対して前記磁気ヘッドによりヘリカルスキャン方式で記録再生処理を行なう回転ドラム装置と、
前記磁気テープが所定のテープパスを形成するよう、前記磁気テープの他方の側縁部を規制することによりの走行を案内するガイド部材とを具備する磁気記録再生装置において、
前記ガイド部材を前記ベースに対して昇降させる昇降機構を設けたことを特徴とする磁気記録再生装置。
【請求項６】
請求項２記載の磁気記録再生装置において、
前記昇降機構は、前記ガイド部材を第１のテープ幅に対応した第１の位置と、第２のテープ幅に対応した第２の位置との間で昇降させることを特徴とする磁気記録再生装置。
【発明の詳細な説明】
【技術分野】
【０００１】
本発明は磁気記録再生装置に係り、特にテープ幅の異なる磁気テープを装着し得る磁気記録再生装置に関する。
【背景技術】
【０００２】
例えば、コンピュータの記憶手段として用いられる磁気記録再生装置としては、回転ドラム装置に磁気テープを添接させ、情報をヘリカルスキャン方式で磁気記録再生するストリーマ装置がある（特許文献１参照）。
【０００３】
この種の磁気記録再生装置は、磁気テープに対して記録再生処理を行なう回転ドラム装置と、この回転ドラム装置に磁気テープを添接させるテープローディング機構を有している。回転ドラム装置は、複数の磁気ヘッドが取り付けられた回転ドラム（「上ドラム」とも言う）と、シャーシ上に固定された固定ドラム（「下ドラム」とも言う）とにより構成されている。
【０００４】
固定ドラムは磁気記録再生装置のベース（シャーシ）に固定されており、また回転ドラムは固定ドラムと同軸的に配設されている。この回転ドラムは、モータにより高速回転する構成とされており、これにより回転ドラムに設けられた磁気ヘッドも回転し、よって回転ドラム装置に添接された磁気テープに対しヘリカルスキャン方式で磁気記録再生処理が実施される。
【０００５】
また、テープローディング機構はガイドポールや傾斜ポール等により構成されている。このテープローディング機構は、磁気テープが収納されているテープカートリッジから磁気テープを引き出し、上記した回転ドラム装置に所定の角度にわたり添接させる機能を奏する。
【０００６】
ところで、この磁気記録再生処理の際、磁気テープの走行位置が一定でないと円滑な磁気記録再生処理ができなくなる。このため、磁気記録再生装置は、磁気テープの上側の側縁と下側の側縁を位置規制することにより、安定したテープ走行が行なわれるよう構成されている。具体的には、従来では固定ドラムに磁気テープの下側側縁を位置規制するテープガイド溝を形成する共に、ガイドポールに磁気テープの上側側縁を位置規制する位置規制フランジを設けた構成としていた。
【特許文献１】特開２００３−２０３３１７
【発明の開示】
【発明が解決しようとする課題】
【０００７】
ところで、近年のコンピュータの高密度化及び高記憶容量化に伴い、コンピュータに接続されてデータのバックアップを行なうストリーマ装置（磁気記録再生装置）についても高記録容量化が要求されるようになってきている。この要望に対してはトラックピッチを狭ピッチ化することにより対応することができるが、近年要求されている記録容量には、この方法のみでは対応できなくなってきている。そこで、磁気テープの幅を従来ものよりも広くすることにより、記録容量を高めることが提案されている。
【０００８】
従来では、テープ幅の狭い従来の磁気テープ（以下、幅狭磁気テープという）に対応した磁気記録再生装置と、テープ幅の広い磁気テープ（以下、幅広磁気テープという）に対応した磁気記録再生装置とはそれぞれ別個のものであり、使用される場合もそれぞれ別個に使用されていた。
【０００９】
このため、磁気記録再生処理を行なう磁気テープとして幅狭磁気テープと幅広磁気テープの双方を使用する必要がある場合には、幅狭磁気テープ対応の磁気記録再生装置と、幅広磁気テープ対応の磁気記録再生装置との２種類の磁気記録再生装置を用意する必要があった。しかしながら、２種類の磁気記録再生装置を用意するのは面倒であり、また２台の磁気記録再生装置で記録することとなるため、コストの上昇及び記録効率の低下が生じるという問題点があった。
【００１０】
本発明は上記の点に鑑みてなされたものであり、幅狭磁気テープと幅広磁気テープの双方を装着し磁気記録再生処理を行ないうる磁気記録再生装置を提供することを目的とする。
【課題を解決するための手段】
【００１１】
上記の課題を解決するために本発明では、次に述べる各手段を講じたことを特徴とするものである。
【００１２】
請求項１記載の発明は、
磁気ヘッド（１５）が設けられた回転ドラム（１３Ａ）と、磁気テープ（１１Ａ，１１Ｂ）の上下一方の側縁部（１１Ａ−１，１１Ｂ−１）を規制することにより走行案内を行なうテープガイド（２２Ａ）が設けられた固定ドラム（１４Ａ）とを有しており、前記磁気テープ（１１Ａ，１１Ｂ）に対して前記磁気ヘッド（１５）によりヘリカルスキャン方式で記録再生処理を行なう回転ドラム装置（１２Ａ）と、
前記磁気テープ（１１Ａ，１１Ｂ）が所定のテープパスを形成するよう、前記磁気テープ（１１Ａ，１１Ｂ）の他方の側縁部（１１Ａ−２，１１Ｂ−２）を規制することにより前記磁気テープ（１１Ａ，１１Ｂ）の走行を案内するガイド部材（１６Ａ，１７Ａ，１６Ｂ，１７Ｂ）とを具備する磁気記録再生装置において、
前記ガイド部材として、第１のテープ幅（Ｗ１）に対応した第１のガイド部材（１６Ａ，１７Ａ）と、第２のテープ幅（Ｗ２）に対応した第２のガイド部材（１６Ｂ，１７Ｂ）とを設け、該第１のガイド部材（１６Ａ，１７Ａ）と該第２のガイド部材（１６Ｂ，１７Ｂ）とを選択的に使用しうる構成とすると共に、前記第１及び第２のガイド部材（１６Ａ，１７Ａ，１６Ｂ，１７Ｂ）により前記磁気テープ（１１Ａ，１１Ｂ）の下側の側縁部（１１Ａ−２，１１Ｂ−２）を位置規制されるよう構成し、
かつ、前記回転ドラム（１３Ａ）に対して前記固定ドラム（１４Ａ）が上部に位置するよう構成し、該固定ドラム（１４Ａ）に設けられたテープガイド（２２Ａ）により前記磁気テープ（１１Ａ，１１Ｂ）の上側の側縁部（１１Ａ−１，１１Ｂ−１）を位置規制するよう構成したことを特徴とするものである。
【００１３】
上記発明によれば、第１のテープ幅を有した磁気テープ（第１の磁気テープという）と、第２のテープ幅を有した磁気テープ（第２の磁気テープという）の２種類の磁気テープを使用することが可能となる。また、磁気テープの上側の側縁部を常に同じ高さ位置となるよう構成したことにより、テープ幅が異なっても各磁気テープを収納するテープカートリッジの上面高さを同一の高さ位置とすることができ、よって磁気記録再生装置の小型化（薄型化）を図ることができる。
【００１４】
また、請求項２記載の発明は、
磁気ヘッド（１５）が設けられた回転ドラム（１３Ｂ）と、前記磁気テープ（１１Ａ，１１Ｂ）の上下一方の側縁部（１１Ａ−２，１１Ｂ−２）を規制することにより走行案内を行なうテープガイド（２２Ｂ）が設けられた固定ドラム（１４Ｂ）とを有しており、ベース（２３）に搭載されて前記磁気テープ（１１Ａ，１１Ｂ）に対して前記磁気ヘッド（１５）によりヘリカルスキャン方式で記録再生処理を行なう回転ドラム装置（１２Ｂ）と、
前記磁気テープ（１１Ａ，１１Ｂ）が所定のテープパスを形成するよう、前記磁気テープ（１１Ａ，１１Ｂ）の他方の側縁部（１１Ａ−１，１１Ｂ−１）を規制することによりの走行を案内するガイド部材（１６Ｃ，１７Ｃ）とを具備する磁気記録再生装置において、
前記回転ドラム装置（１２Ｂ）を前記ベース（２３）に対して昇降させる昇降機構（２５）を設けたことを特徴とするものである。
【００１５】
上記発明によれば、昇降機構によりベースに対して回転ドラムが昇降するため、異なるテープ幅を有した磁気テープを使用することが可能となる。
【００１６】
また、請求項３記載の発明のように、
請求項２記載の磁気記録再生装置において、
前記昇降機構（２５）は、前記回転ドラム装置（１２Ｂ）を第１のテープ幅（Ｗ１）に対応した第１の位置と、第２のテープ幅（Ｗ２）に対応した第２の位置との間で昇降させる構成としてもよい。
【００１７】
また、請求項４記載の発明は、
請求項２または３記載の磁気記録再生装置において、
前記昇降機構（２５）は、前記ベース（２３）に対する前記磁気テープ（１１Ａ，１１Ｂ）の上側の側縁部（１１Ａ−１，１１Ｂ−１）の高さが、常に同一高さとなるよう前記回転ドラム装置（１２）を昇降せさることを特徴とするものである。
【００１８】
上記発明によれば、磁気テープの上側の側縁部を常に同じ高さ位置となるよう構成したことにより、テープ幅が異なっても各磁気テープを収納するテープカートリッジの上面高さを同一の高さ位置とすることができ、よって磁気記録再生装置の小型化（薄型化）を図ることができる。
【００１９】
また、請求項５記載の発明は、
磁気ヘッド（１５）が設けられた回転ドラム（１３Ｂ）と、前記磁気テープ（１１Ａ，１１Ｂ）の上下一方の側縁部（１１Ａ−２，１１Ｂ−２）を規制することにより走行案内を行なうテープガイド（２２Ｂ）が設けられた固定ドラム（１４Ｂ）とを有しており、ベース（２３）に搭載されて前記磁気テープ（１１Ａ，１１Ｂ）に対して前記磁気ヘッド（１５）によりヘリカルスキャン方式で記録再生処理を行なう回転ドラム装置（１２Ｂ）と、
前記磁気テープ（１１Ａ，１１Ｂ）が所定のテープパスを形成するよう、前記磁気テープ（１１Ａ，１１Ｂ）の他方の側縁部（１１Ａ−１，１１Ｂ−１）を規制することによりの走行を案内するガイド部材（１６Ｄ，１７Ｄ）とを具備する磁気記録再生装置において、
前記ガイド部材（１６Ｄ，１７Ｄ）を前記ベース（２３）に対して昇降させる昇降機構（２６，２７）を設けたことを特徴とするものである。
【００２０】
上記発明によれば、昇降機構によりベースに対してガイド部材が昇降するため、異なるテープ幅を有した磁気テープを使用することが可能となる。
【００２１】
また、請求項６記載の発明のように、
請求項２記載の磁気記録再生装置において、
前記昇降機構は、前記ガイド部材を第１のテープ幅に対応した第１の位置と、第２のテープ幅に対応した第２の位置との間で昇降させる構成しとてもよい。
【発明の効果】
【００２２】
本発明によれば、異なるテープ幅の磁気テープを使用することが可能となると共に、磁気記録再生装置の小型化（薄型化）を図ることができる。
【発明を実施するための最良の形態】
【００２３】
次に、本発明を実施するための最良の形態について図面と共に説明する。
【００２４】
図１及び図２は、本発明の第１実施例である磁気記録再生装置１０Ａを示す要部構成図である。この磁気記録再生装置１０Ａは、例えばコンピュータの記憶手段として用いられるものであり、磁気テープ１１Ａ，１１Ｂに対して情報をヘリカルスキャン方式で磁気記録再生する構成とされている。
【００２５】
尚、後述するように本実施例に係る磁気記録再生装置１０Ａは、広いテープ幅（図中、矢印Ｗ１で示す）の磁気テープ（以下、幅広磁気テープ１１Ａという）と、狭いテープ幅（図中、矢印Ｗ２で示す）の磁気テープ（以下、幅狭磁気テープ１１Ｂという）の双方を装着し、それぞれに対して磁気記録再生処理を行ないうる構成とされている。
【００２６】
この磁気記録再生装置１０Ａは、磁気テープ１１Ａ，１１Ｂに対して磁気記録再生処理を行なう回転ドラム装置１２Ｂと、テープローディング機構を構成するガイドローラ１６Ａ，１７Ａを有している。回転ドラム装置１２Ａは、複数の磁気ヘッド１５が取り付けられた回転ドラム１３Ａと、図示しない固定ホルダを用いてベース２３（磁気記録再生装置１０Ａのシャーシ）に固定された固定ドラム１４Ａとにより構成されている。
【００２７】
固定ドラム１４Ａは、各磁気テープ１１Ａ，１１Ｂの上側の側縁部１１Ａ−１，１１Ｂ−１と当接し、その走行をガイドするテープガイド溝２２Ａが形成されている。また回転ドラム１３Ａは固定ドラム１４Ａと同軸的に配設されており、図示しないモータにより所定の回転数で高速回転する構成とされており、これにより回転ドラム１３Ａに設けられた磁気ヘッド１５も回転し、よって回転ドラム装置１２Ａに添接された各磁気テープ１１Ａ，１１Ｂに対しヘリカルスキャン方式で磁気記録再生処理が実施される。
【００２８】
ここで、回転ドラム装置１２Ａの回転ドラム１３Ａと固定ドラム１４Ａとの位置関係に注目すると、本実施例に係る回転ドラム装置１２Ａでは、回転ドラム１３Ａに対して固定ドラム１４Ａが上部に位置するよう構成されている。従って、上記した固定ドラム１４Ａに設けられているテープガイド溝２２Ａは、磁気テープ１１Ａ，１１Ｂの上側側縁部１１Ａ−１，１１Ｂ−１を位置規制する。
【００２９】
一方、前記のようにガイドローラ１６Ａ，１６Ｂ，１７Ａ，１７Ｂ及び傾斜ポール２０，２１は、テープローディング機構の一部を構成する。このテープローディング機構は、磁気テープ１１Ａ，１１Ｂが収納されているテープカートリッジ（図示せず）から磁気テープ１１Ａ，１１Ｂを引き出し、上記した回転ドラム装置１２Ａに所定の角度にわたり添接させる機能を奏する。
【００３０】
ガイドローラ１６Ａ，１６Ｂ，１７Ａ，１７Ｂは、主に磁気テープ１１Ａ，１１Ｂの走行位置を規制するものであり、このために位置規制フランジ１８Ａ，１８Ｂ，１９Ａ，１９Ｂが形成されている。尚、傾斜ポール２０，２１は所定の傾斜角度を有しており、磁気テープ１１Ａ，１１Ｂが筒状の回転ドラム装置１２Ａに円滑に添接或いは離間させる機能を奏するものである。
【００３１】
上記した４本のガイドローラ１６Ａ，１６Ｂ，１７Ａ，１７Ｂの内、ガイドローラ１６Ａ，１７Ａは幅広磁気テープ１１Ａに対応したものであり（図１参照）、ガイドローラ１６Ｂ，１７Ｂは幅狭磁気テープ１１Ｂに対応したものである（図２参照）。このガイドローラ１６Ａ，１７Ａとガイドローラ１６Ｂ，１７Ｂは、ベース２３に対する位置規制フランジ１８Ａ，１８Ｂ，１９Ａ，１９Ｂの高さが異なっている。
【００３２】
具体的には、幅広磁気テープ１１Ａに対応したガイドローラ１６Ａ，１７Ａに形成された位置規制フランジ１８Ａ，１９Ａは、幅広磁気テープ１１Ａの下側側縁部１１Ａ−２と当接するよう構成されている。これに対して、幅広磁気テープ１１Ｂに対応したガイドローラ１６Ｂ，１７Ｂに形成された位置規制フランジ１８Ｂ，１９Ｂは、幅広磁気テープ１１Ｂの下側側縁部１１Ｂ−２と当接するよう構成されている。
【００３３】
このため、ベース２３から位置規制フランジ１８Ａ，１９Ａの上面までの距離Ｈ２は、ベース２３から位置規制フランジ１８Ｂ，１９Ｂの上面までの距離Ｈ３に対して小さく設定されている（Ｈ２＜Ｈ３）。しかしながら、回転ドラム装置１２Ａはベース２３に固定されているため、固定ドラム１４Ａに形成されているテープガイド溝２２Ａのベース２３に対する高さ（図中矢印Ｈ１で示す）は、幅広磁気テープ１１Ａ或いは幅狭磁気テープ１１Ｂに拘わらず一定の高さとなっている。
【００３４】
ガイドローラ１６Ａ，１７Ａとガイドローラ１６Ｂ，１７Ｂは、磁気記録再生装置１０Ａに装着された磁気テープのテープ幅に応じて磁気テープへの添接が切り換えられる構成となっている。磁気テープのテープ幅の検出は、実際に装着された磁気テープ１１Ａ，１１Ｂのテープ幅を検出する構成としてもよく、また磁気テープ１１Ａ，１１Ｂが収納されたテープカートリッジの形状により検出する構成としてもよい。また、ガイドローラ１６Ａ，１７Ａとガイドローラ１６Ｂ，１７Ｂの切り替えは、アクチュエータ等を用いて切り換え処理を行なうことが考えられる。
【００３５】
上記構成とすることにより、幅広磁気テープ１１Ａが回転ドラム装置１２Ａに添接された場合は、上側側縁部１１Ａ−１が固定ドラム１４Ａのテープガイド溝２２Ａに位置規制され、下側側縁部１１Ａ−２がガイドローラ１６Ａ，１７Ａの位置規制フランジ１８Ａ，１９Ａに位置規制される。また、幅狭磁気テープ１１Ｂが回転ドラム装置１２Ａに添接された場合は、上側側縁部１１Ｂ−１が固定ドラム１４Ａのテープガイド溝２２Ａに位置規制され、下側側縁部１１Ｂ−２がガイドローラ１６Ｂ，１７Ｂの位置規制フランジ１８Ｂ，１９Ｂに位置規制される。
【００３６】
よって、幅広磁気テープ１１Ａ及び幅狭磁気テープ１１Ｂのいずれの磁気テープが装着された場合でも、各磁気テープ１１Ａ，１１Ｂを高精度に位置決めされた状態で走行させることができる。これにより、異なるテープ幅を有する各磁気テープ１１Ａ，１１Ｂに対して安定した磁気記録再生処理を行なうことができる。
【００３７】
上記したように、本実施例に係る磁気記録再生装置１０Ａでは、幅広磁気テープ１１Ａと幅狭磁気テープ１１Ｂの２種類の磁気テープを使用することが可能となる。よって、磁気記録再生装置１０Ａの使用性及び利便性を高めることができる。
【００３８】
また、本実施例に係る磁気記録再生装置１０Ａでは、各磁気テープ１１Ａ，１１Ｂの上側側縁部１１Ａ−１，１１Ｂ−１がベース２３に対して同じ高さ位置（Ｈ１）となるよう構成している。これにより、テープ幅Ｗ１，Ｗ２が異なっても磁気記録再生装置１０Ａに装着した状態における各テープカートリッジの上面高さを同一高さとすることができ、磁気記録再生装置１０Ａの小型化（薄型化）を図ることができる。以下、この理由について説明する。
【００３９】
通常、磁気テープ１１Ａ，１１Ｂはテープカートリッジに収納され、このテープカートリッジから引き出されて（テープローディングされて）回転ドラム装置１２Ａに所定角度にわたり添接される。この磁気テープ１１Ａ，１１Ｂのテープローディングは、ガイドローラ１６Ａ，１６Ｂ，１７Ａ，１７Ｂ等がテープカートリッジの磁気テープ背面側に挿入され、この位置よりガイドローラ１６Ａ，１６Ｂ，１７Ａ，１７Ｂ等が移動して磁気テープ１１Ａ，１１Ｂをテープカートリッジから引き出す。
【００４０】
この際、上記のように本実施例では、テープ幅の異なるいずれの磁気テープ１１Ａ，１１Ｂにおいても、固定ドラム１４Ａに設けられたテープガイド溝２２Ａにより各磁気テープ１１Ａ，１１Ｂの上側側縁部１１Ａ−１，１１Ｂ−１は常に同じ高さ位置（Ｈ１）となる。
【００４１】
仮に、各磁気テープ１１Ａ，１１Ｂの下側側縁部１１Ａ−２，１１Ｂ−２が常に同じ高さ位置となる構成を想定した場合、各磁気テープ１１Ａ，１１Ｂ毎にベース２３に対する上側側縁部１１Ａ−１，１１Ｂ−１の高さが異なってしまう。これにより、磁気テープ１１Ａ，１１Ｂが収納されているテープカートリッジの磁気記録再生装置内における高さ位置（上面の位置）が異なってしまい、これに対応するために磁気記録再生装置が大型化してしまう。
【００４２】
しかしながら、本実施例のように、各磁気テープ１１Ａ，１１Ｂの上側側縁部１１Ａ−１，１１Ｂ−１を常に同じ高さ位置とすることにより、テープ幅の異なるテープカートリッジであっても、その上面の高さ位置を同位置とすることができ、よって磁気記録再生装置１０Ａの小型化（薄型化）を図ることができる。
【００４３】
続いて、本発明の第２実施例について説明する。図３及び図４は、本発明の第２実施例である磁気記録再生装置１０Ｂを示す要部構成図である。本実施例に係る磁気記録再生装置１０Ｂもテープ幅の異なる幅広磁気テープ１１Ａ，１１Ｂの双方を装着しうるものである。図３は幅広磁気テープ１１Ａを装着した状態の磁気記録再生装置１０Ｂを示し、図４は幅狭磁気テープ１１Ｂを装着した磁気記録再生装置１０Ｂを示している。
【００４４】
尚、図３及び図４において、先の説明に用いた図１及び図２に示した構成と同一構成については同一符号を付してその説明を省略するものとする。また、後に説明する図５及び図６についても同様とする。
【００４５】
本実施例に係る磁気記録再生装置１０Ｂに設けられた回転ドラム装置１２Ｂは、一般的な回転ドラム装置と同様に、下側（ベース２３に近い側）に固定ドラム１４Ｂが配設されると共に、この固定ドラム１４Ｂの上部に回転ドラム１３Ｂが配設された構成とされている。また、ガイドローラ１６Ｃ，１７Ｃは、上部に位置規制フランジ１８Ｃ，１９Ｃを形成した構成とされている。
【００４６】
従って、各磁気テープ１１Ａ，１１Ｂは、上側側縁部１１Ａ−１，１１Ｂ−１をガイドローラ１６Ｃ，１７Ｃ（位置規制フランジ１８Ｃ，１９Ｃ）により位置規制され、下側側縁部１１Ａ−２，１１Ｂ−２を固定ドラム１４Ｂに形成されたテープガイド溝２２Ｂにより位置規制される。よって、本実施例でも幅広磁気テープ１１Ａ及び幅狭磁気テープ１１Ｂのいずれの磁気テープが装着された場合でも、各磁気テープ１１Ａ，１１Ｂを高精度に位置決めされた状態で走行させることができ、各磁気テープ１１Ａ，１１Ｂに対して安定した磁気記録再生処理を行なうことができる。
【００４７】
ここで、回転ドラム装置１２Ｂの下部に注目すると、本実施例では回転ドラム装置１２Ｂの下部にドラム昇降機構２５が設けられている。このドラム昇降機構２５は、ベース２３に固定されており、回転ドラム装置１２Ｂを図中矢印Ｚ１，Ｚ２方向に昇降動作させるものである。このように、ドラム昇降機構２５を設け、回転ドラム装置１２Ｂを昇降動作可能な構成とすることにより、テープ幅の異なる種々の磁気テープ１１Ａ，１１Ｂを使用することが可能となる。尚、回転ドラム装置１２Ｂは昇降動作するが、位置規制フランジ１８Ｃ，１９Ｃの位置は決まった高さ位置（図中、矢印Ｈ１で示す）となっている。
【００４８】
前記のように、装着された磁気テープの幅が検出されると（直接検出或いはテープカートリッジを介して検出）、ドラム昇降機構２５は装着された磁気テープに対応した高さとなるよう回転ドラム装置１２Ｂを昇降動作させる。
【００４９】
具体的には、幅広磁気テープ１１Ａが装着された場合には、図３に示すように、回転ドラム装置１２Ｂを矢印Ｚ２方向に下降させることにより、位置規制フランジ１８Ｃ，１９Ｃとテープガイド溝２２Ｂの距離がテープ幅（Ｗ１）となるようにする。また、幅狭磁気テープ１１Ｂが装着された場合には、図４に示すように、回転ドラム装置１２Ｂを矢印Ｚ１方向に上昇させることにより、位置規制フランジ１８Ｃ，１９Ｃとテープガイド溝２２Ｂの距離がテープ幅（Ｗ２）となるようにする。
【００５０】
このように、本実施例に係る磁気記録再生装置１０Ｂにおいても、幅広磁気テープ１１Ａと幅狭磁気テープ１１Ｂの２種類の磁気テープを使用することが可能となる。よって、磁気記録再生装置１０Ａの使用性及び利便性を高めることができる。また、本実施例に係る磁気記録再生装置１０Ｂも各磁気テープ１１Ａ，１１Ｂの上側側縁部１１Ａ−１，１１Ｂ−１がベース２３に対して同じ高さ位置（Ｈ１）となるよう構成しているため、第１実施例で説明したと同様の理由により、磁気記録再生装置１０Ｂの小型化（薄型化）を図ることができる。
【００５１】
尚、本実施例では、テープ幅Ｗ１を有した幅広磁気テープ１１Ａと、テープ幅Ｗ２を有した幅広磁気テープ１１Ｂの２種類の磁気テープのみに対応した構成を示したが、ドラム昇降機構２５は回転ドラム装置１２Ｂを任意高さで止めることができるため、種々のテープ幅の磁気テープに広く適用することが可能である。
【００５２】
また、第１実施例に係る磁気記録再生装置の構成では、テープ幅の異なる磁気テープ毎にガイドローラを設ける必要があった。具体的には、第１実施例に係る磁気記録再生装置１０Ａは、２種類のテープ幅の磁気テープ１１Ａ，１１Ｂを用いていたため、幅広磁気テープ１１Ａ用としてガイドローラ１６Ａ，１７Ａ、幅狭磁気テープ１１Ｂ用としてガイドローラ１６Ｂ，１７Ｂの合計４本のガイドローラが必要であった。しかしながら、本実施例に係る磁気記録再生装置１０Ｂでは、磁気テープの種類に拘わらず２本のガイドローラ１６Ｃ，１７Ｃでテープガイドできるため、部品点数の削減を図ることができる。
【００５３】
続いて、本発明の第３実施例について説明する。図５及び図６は、本発明の第３実施例である磁気記録再生装置１０Ｃを示す要部構成図である。本実施例に係る磁気記録再生装置１０Ｃもテープ幅の異なる幅広磁気テープ１１Ａ，１１Ｂの双方を装着しうるものである。図５は幅広磁気テープ１１Ａを装着した状態の磁気記録再生装置１０Ｃを示し、図６は幅狭磁気テープ１１Ｂを装着した磁気記録再生装置１０Ｃを示している。
【００５４】
前記した第２実施例に係る磁気記録再生装置１０Ｂは、回転ドラム装置１２Ｂを昇降させるドラム昇降機構２５を設けた構成とした。これに対して本実施例に係る磁気記録再生装置１０Ｃは、ガイドローラ１６Ｄ，１７Ｄを矢印Ｚ１，Ｚ２方向に昇降させるガイドローラ昇降機構２６，２７を設けたことを特徴とするものである。
【００５５】
また、本実施例で用いている回転ドラム装置１２Ｂも、第２実施例と同様に、下側に固定ドラム１４Ｂが配設されると共に、この固定ドラム１４Ｂの上部に回転ドラム１３Ｂが配設されたものである。また、ガイドローラ１６Ｄ，１７Ｄは、上部に位置規制フランジ１８Ｄ，１９Ｄを形成した構成とされている。
【００５６】
これにより、各磁気テープ１１Ａ，１１Ｂは、上側側縁部１１Ａ−１，１１Ｂ−１をガイドローラ１６Ｄ，１７Ｄ（位置規制フランジ１８Ｄ，１９Ｄ）により位置規制され、下側側縁部１１Ａ−２，１１Ｂ−２を固定ドラム１４Ｂに形成されたテープガイド溝２２Ｂにより位置規制される。よって、本実施例でも幅広磁気テープ１１Ａ及び幅狭磁気テープ１１Ｂのいずれの磁気テープが装着された場合でも、各磁気テープ１１Ａ，１１Ｂを高精度に位置決めされた状態で走行させることができ、各磁気テープ１１Ａ，１１Ｂに対して安定した磁気記録再生処理を行なうことができる。
【００５７】
上記のように本実施例では、ガイドローラ１６Ｄ，１７Ｄを小孔させるガイドローラ昇降機構２６，２７が設けられている。このガイドローラ昇降機構２６，２７は図示しない固定ホルダを介してベース２３に固定されており、よって各ガイドローラ１６Ｄ，１７Ｄをベース２３に対して図中矢印Ｚ１，Ｚ２方向に昇降動作させる。このように、ガイドローラ昇降機構２６，２７を設け、各ガイドローラ１６Ｄ，１７Ｄを昇降動作可能な構成とすることにより、テープ幅の異なる種々の磁気テープ１１Ａ，１１Ｂを使用することが可能となる。
【００５８】
前記のように装着された磁気テープの幅が検出されると（直接検出或いはテープカートリッジを介して検出）、ガイドローラ昇降機構２６，２７は装着された磁気テープに対応した高さとなるようガイドローラ１６Ｄ，１７Ｄを昇降動作させる。
【００５９】
具体的には、幅広磁気テープ１１Ａが装着された場合には、図５に示すように、ガイドローラ１６Ｄ，１７Ｄを矢印Ｚ１方向に上昇させることにより、位置規制フランジ１８Ｄ，１９Ｄとテープガイド溝２２Ｂの距離がテープ幅（Ｗ１）となるようにする。また、幅狭磁気テープ１１Ｂが装着された場合には、図６に示すように、ガイドローラ１６Ｄ，１７Ｄを矢印Ｚ２方向に下降させることにより、位置規制フランジ１８Ｄ，１９Ｄとテープガイド溝２２Ｂの距離がテープ幅（Ｗ２）となるようにする。
【００６０】
このように、本実施例に係る磁気記録再生装置１０Ｃにおいても、幅広磁気テープ１１Ａと幅狭磁気テープ１１Ｂの２種類の磁気テープを使用することが可能となる。よって、磁気記録再生装置１０Ｃの使用性及び利便性を高めることができる。
【００６１】
尚、本実施例では、テープ幅Ｗ１を有した幅広磁気テープ１１Ａと、テープ幅Ｗ２を有した幅広磁気テープ１１Ｂの２種類の磁気テープのみに対応した構成を示したが、ガイドローラ昇降機構２６，２７はガイドローラ１６Ｄ，１７Ｄを任意高さで止めることができるため、種々のテープ幅の磁気テープに広く適用することが可能である。また、第２実施例と同様に磁気テープの種類に拘わらず２本のガイドローラ１６Ｄ，１７Ｄでテープガイドできるため、部品点数の削減を図ることができる。
【図面の簡単な説明】
【００６２】
【図１】図１は、本発明の第１実施例である磁気記録再生装置を示しており、幅広のテープが巻回された状態を示す図である。
【図２】図２は、本発明の第１実施例である磁気記録再生装置を示しており、幅狭のテープが巻回された状態を示す図である。
【図３】図３は、本発明の第２実施例である磁気記録再生装置を示しており、幅広のテープが巻回された状態を示す図である。
【図４】図４は、本発明の第２実施例である磁気記録再生装置を示しており、幅狭のテープが巻回された状態を示す図である。
【図５】図５は、本発明の第３実施例である磁気記録再生装置を示しており、幅広のテープが巻回された状態を示す図である。
【図６】図６は、本発明の第３実施例である磁気記録再生装置を示しており、幅狭のテープが巻回された状態を示す図である。
【符号の説明】
【００６３】
１０Ａ〜１０Ｃ  磁気記録再生装置
１１Ａ，１１Ｂ  幅広磁気テープ
１２Ａ，１２Ｂ  回転ドラム装置
１３Ａ，１３Ｂ  回転ドラム
１４Ａ，１４Ｂ  固定ドラム
１５  磁気ヘッド
１６Ａ〜１６Ｄ，１７Ａ〜１７Ｄ  ガイドローラ
１８Ａ〜１８Ｄ，１９Ａ〜１９Ｄ  位置規制フランジ
２０，２１  傾斜ポール
２２Ａ，２２Ｂ  テープガイド溝
２３  ベース
２５  ドラム昇降機構
２６，２７  ガイドローラ昇降機構
【図１】
2005158156.tif 000003
【図２】
2005158156.tif 000004
【図３】
2005158156.tif 000005
【図４】
2005158156.tif 000006
【図５】
2005158156.tif 000007
【図６】
2005158156.tif 000008